(57)【特許請求の範囲】
【請求項１】
少なくとも１つのラインを長手方向に案内するラインガイド装置であって、長手方向に延びる互いに平行な２つの条片を含み、
各条片が、側壁範囲とこの側壁範囲の下縁に沿って延びる支持壁範囲とを含み、それぞれの条片が、長手方向に対して横向きに側壁範囲の上縁から下縁の近くまで延びる横向き分離部により、セグメントに細分化され、これらのセグメントが支持壁範囲により互いに可撓的に結合され、
両方の条片が、所定の長手方向間隔をおいて複数の橋絡片のみにより互いに結合され、これらの条片と橋絡片が少なくとも１つのラインを支持する長手方向ガイド通路を区画している
ラインガイド装置。
【請求項２】
条片が合成物質から成っていることを特徴とする、請求項１に記載のラインガイド装置。
【請求項３】
少なくとも１つの条片が横に並んだ複数の部分条片によって形成されていることを特徴とする、請求項２に記載のラインガイド装置。
【請求項４】
隣接する部分条片の横向き分離部が、長手方向に互いにずらして配置されていることを特徴とする、請求項３に記載のラインガイド装置。
【請求項５】
各条片の支持壁範囲が側壁範囲から横向きに突出していることを特徴とする、請求項１に記載のラインガイド装置。
【請求項６】
各条片が、側壁範囲の上縁に沿って延びるカバー壁範囲を有し、カバー壁範囲が側壁範囲から横向きに突出しており、横向き分離部が、カバー壁範囲を通って延びていることを特徴とする、請求項５に記載のラインガイド装置。
【請求項７】
各条片が側壁範囲から横向きに突出する底壁範囲を含み、底壁範囲が支持壁範囲の下縁に沿って延びていることを特徴とする、請求項６に記載のラインガイド装置。
【請求項８】
各条片が、長手方向に間隔をおいて、底壁範囲を通って上方へ延びる複数の切り欠きを含んでいることを特徴とする、請求項７に記載のラインガイド装置。
【請求項９】
切り欠きが上方へ先細になっており、かつ横向き分離部と一直線上にあることを特徴とする、請求項８に記載のラインガイド装置。
【請求項１０】
各条片の底壁範囲が中空プロファイルを含んでいることを特徴とする、請求項７に記載のラインガイド装置。
【請求項１１】
橋絡片が、カバー壁範囲と支持壁範囲との間の範囲に配置されていることを特徴とする、請求項６に記載のラインガイド装置。
【請求項１２】
橋絡片が、条片に取外し可能に結合されていることを特徴とする、請求項１に記載のラインガイド装置。
【請求項１３】
条片が、カバーを固定するため、側壁範囲の上縁に沿ってラインガイド装置の長手方向に延びるスリットを備えていることを特徴とする、請求項１に記載のラインガイド装置。
【請求項１４】
横向き分離部が、支持壁範囲に近い位置にある円形の切り欠きに終わっていることを特徴とする、請求項１に記載のラインガイド装置。
【請求項１５】
橋絡片の端部を取付けるためセグメントにアダプタが設けられていることを特徴とする、請求項１に記載のラインガイド装置。
【請求項１６】
可撓的に互いに結合されるセグメントが、隣接するセグメントの間に揺動角を規定し、各条片が、側壁範囲から遠い方にある支持壁範囲の側に底壁範囲を含み、所定の間隔をおいて底壁範囲に、上方へ先細になる複数の切り欠きが形成され、これらの切り欠きの互いに対向する面が、隣接するセグメントの揺動角を制限するためのストッパ面を形成していることを特徴とする、請求項１に記載のラインガイド装置。
【請求項１７】
ラインガイド装置のループ形成範囲における曲率半径を制限するための制限要素がそれぞれの条片に設けられていることを特徴とする、請求項１に記載のラインガイド装置。
【請求項１８】
上下に互いに平行に延びる２つの橋絡片の間に、垂直に延びる分離橋絡片が設けられていることを特徴とする、請求項１に記載のラインガイド装置。
【請求項１９】
橋絡片がラインを案内する複数の穴を持っていることを特徴とする、請求項１に記載のラインガイド装置。
【請求項２０】
上下に互いに平行に延びる２つの橋絡片と２つの条片とにより、長手方向のガイド通路が完全に包囲されていることを特徴とする、請求項１に記載のラインガイド装置。
【請求項２１】
少なくとも１つのラインを長手方向に案内するラインガイド装置であって、長手方向に延びる互いに平行な２つの条片を含み、
各条片が、側壁範囲とこの側壁範囲の下縁に沿って延びる支持壁範囲とを含み、それぞれの条片が、長手方向に対して横向きに側壁範囲の上縁から下縁の近くまで延びる横向き分離部により、セグメントに細分化され、これらのセグメントが支持壁範囲により互いに可撓的に結合され、
両方の条片が、所定の長手方向間隔をおいて複数の橋絡片により互いに結合され、両方の条片とこれらの橋絡片が、少なくとも１つのラインを支持する長手方向ガイド通路を区画し、上下に互いに平行に延びる２つの橋絡片間に、垂直な分離橋絡片が延びている、
ラインガイド装置。
【発明の詳細な説明】
【０００１】
本発明の対象は、特許請求の範囲第１項の上位概念の特徴を有する少なくとも１つのラインを案内する合成物質からなるラインガイド装置に関する。
【０００２】
定置の接続部から可動の負荷装置へラインを案内するために、ラインガイド装置が利用される。ラインガイド装置は、一方の端部において固定点に接続され、かつその他方の端部によって可動の負荷装置に接続されている。互いに関節状に結合されたチェーン部材から構成されたラインガイド装置は周知である。このようなラインガイド装置は、エネルギーガイドチェーンとも称する。それぞれのチェーン部材は、収容空間を有する。個々のチェーン部材の収容空間は、ガイド通路を形成し、その中にラインが布設されている。収容空間は、互いに間隔を置き互いに対向して配置された２つのチェーン片によって、かつ上側及び下側の橋絡片によって区画されている。橋絡片は、チェーン片に結合されている。ガイド通路の細分化のために、それぞれのチェーン部材は、分離橋絡片を備えることができるので、ガイド通路の水平及び垂直の細分化が達成される。
【０００３】
ラインを案内するために、ドイツ民主共和国特許第２６５４４９Ｂ５号明細書によれば、支持壁範囲、カバー壁範囲及び側壁範囲によって区画されたライン収容通路を有するラインガイド装置が公知である。ライン収容通路は、横向き分離部によって互いに相対的に揺動可能な多数のセグメントに細分化されている。横向き分離部は、カバー範囲を通って延びており、かつ側壁範囲内に少なくとも支持壁範囲の近くにまで継続している。
【０００４】
ラインガイド装置の別の構成は、ヨーロッパ特許第０５４４０２７号明細書によって公知である。ヨーロッパ特許第０５４４０２７号明細書により公知のラインガイド装置も、ライン収容通路内に布設された少なくとも１つのラインを案内するために使われる。ライン収容通路は、支持壁範囲、カバー範囲及び側壁範囲を有する。ライン収容通路は、横向き分離部によって、互いに相対的に揺動可能な多数のセグメントに細分化されているので、ラインガイド装置は、第１の列及びこれに対して平行な第２の列、及び両方の列の間のループ状の移行部を形成して転向可能である。横向き分離部は、カバー範囲を通って延びている。これらは、側壁範囲内に少なくとも支持壁範囲の近くにまで継続している。
【０００５】
ヨーロッパ特許第０５４４０２７号明細書により公知のようなラインガイド装置内に通すようにするラインは、互いに並べて配置するだけでよい。ヨーロッパ特許第０５４４０２７号明細書によるラインガイド装置におけるラインガイド通路の細分化は、ライン収容通路の長手方向に延びるライン分離壁によって行なわれる。ライン分離壁も、横向き分離部によって切離されている。横向き分離部は、それぞれのライン収容通路の問題のないループ形成を可能にするために、ライン分離壁を通って、少なくとも支持壁範囲の近くにまで延びている。
【０００６】
ラインガイド装置の別の構成は、ドイツ連邦共和国実用新案登録第９０１６８７０．４号明細書に記載されている。このラインガイド装置は、ライン集束装置を有し、それによりラインはまとめられる。ライン集束装置は、ホース状に形成することができる。ライン集束装置の外側に、良好な摺動能力を有する摺動装置が配置されている。摺動装置は、ライン集束装置の間の摩擦を防止する。
【０００７】
ドイツ民主共和国特許第２６５４４９Ｂ５号明細書又はヨーロッパ特許第０５４４０２７号明細書によって公知のようなラインガイド装置は、合成物質からなるプロファイルが押出され、かつ続いて適当な工具によって切離されるので、プロファイルが個々のセグメントに細分化されることによって製造される。
【０００８】
セグメントへのラインガイド装置の細分化によって、これらは、支持壁範囲だけによって互いに結合されている。このことは、ラインガイド装置の減少した安定性に通じる。これは、比較的小さな曲げ又はねじり剛性を有する。
【０００９】
このことから出発して、本発明の課題は、その際にループ形成の能力を減少することなく、これに高い安定性を与えるように、公知のラインガイド装置を変形することにある。
【００１０】
本発明によれば、この課題は、特許請求の範囲第１項の特徴を有するラインガイド装置によって解決される。本発明によるラインガイド装置の有利な変形及び構成は、従属特許請求の範囲の対象である。
【００１１】
少なくとも１つのラインを案内する本発明によるラインガイド装置は、互いに関節状に結合されたセグメントを有する。それぞれのセグメントは、側壁範囲を有する。ラインガイド装置は、合成物質からなる大体において平行に延びた２つの条片によって形成されている。条片は、橋絡片によって互いに結合されている。橋絡片は、互いに選ばれた間隔を置いて、対向するセグメントに結合されている。セグメント及び橋絡片は、少なくとも１つのラインを案内するガイド通路を区画している。それぞれの条片は、横向き分離部によってセグメントを有する条片に細分化されている。横向き分離部は、条片の長手方向に対して横向きに延びている。これらは、互いに選ばれた間隔を置いて形成されている。横向き分離部は、側壁範囲において支持壁範囲の近くにまで延びている。条片は、ラインガイド装置のループ形成を可能にする。大体において平行に延びた２つの条片に結合される橋絡片は、ガイド通路内に配置されるラインを支持する。このようなものとして橋絡片は、比較的大きな剛性を有するので、ラインガイド装置は、さらに大きなライン重量を支持するためにも適している。これらは、ラインガイド装置にさらに大きな曲げ及びねじり剛性も与える。
【００１２】
ラインガイド装置が、橋絡片によって互いに結合された平行な２つの条片からなることによって、ラインガイド装置の種々の役割にラインガイド装置を整合することが、簡単化して行なうことができる。橋絡片の長さの変形によって、条片を変形する必要なく、種々の幅のラインガイド装置を準備することができる。橋絡片は、分離橋絡片システムを備えることもできるので、ガイド通路の横断面の一層良好な利用が達成される。
【００１３】
ラインガイド装置の曲げ及びねじり剛性をさらに高めるために、少なくとも１つの条片が、少なくとも部分的にプロファイル条片として形成されていることが提案される。プロファイル条片（断面の形状が不整形の押出し成形品すなわちプロファイルから成る条片）は、なるべく大体において側壁範囲から横向きに突出した支持壁範囲を有し、その際、分離部は、側壁範囲を通って少なくとも支持壁範囲の近くにまで継続している。ラインガイド装置のこの有利な構成によれば、ラインガイド装置のさらに幅広い載せ面が達成される。このことは、とくにラインガイド装置の上側列がラインガイド装置の下側列の上において摺動するときに有利である。
【００１４】
ラインガイド装置のなお別の有利な構成によれば、プロファイル条片が、カバー壁範囲及び支持壁範囲を有することが提案される。カバー壁範囲と支持壁範囲は、大体において側壁範囲から横向きに突出している。横向き分離部は、カバー壁範囲を通って延びている。これらは、側壁範囲において少なくとも支持壁範囲の近くにまで継続している。このようなプロファイル条片は、Ｃ型プロファイル条片と称することもできる。プロファイル条片のこの構成により、ラインガイド装置の個々のセグメントに、さらに大きな剛性が与えられる。支持壁範囲は、橋絡片のための載せ面としても利用することができる。このことは、カバー壁範囲にも当てはまる。プロファイル条片のこのような配置の際に、カバー壁範囲と支持壁範囲は、ガイド通路内に向いている。
【００１５】
ラインガイド装置のなお別の有利な構成によれば、プロファイル条片が、カバー壁範囲、支持壁範囲及び底壁範囲を有し、これらが、大体において側壁範囲から横向きに突出しており、かつ側壁範囲に結合されていることが提案される。横向き分離部は、カバー壁範囲を通って延びている。これらは、側壁範囲において少なくとも支持壁範囲の近くにまで継続している。それによりセグメントが形成される。追加的に切り欠きが設けられており、これらの切り欠きは、底壁範囲を通って延びている。切り欠きは、側壁範囲において少なくとも支持壁範囲の近くにまで継続している。それによりプロファイル条片に曲率半径制限器が与えられる。例えばＶ型に形成することができる切り欠きの構成に依存して、隣接するセグメントの揺動角が制限される。プロファイル条片のこのような構成により、一方においてラインガイド装置にさらに大きな剛性が与えられ、かつ他方において追加的な曲率半径制限器を省略することができる。
【００１６】
本発明のなお別の有利な構成によれば、少なくとも１つの条片が、少なくとも部分的に中空プロファイル条片（中空の押出し成形品から成る条片）として形成されていることが提案される。ラインガイド装置のとくに大きな剛性は、それぞれの条片が中空プロファイル条片として形成されていることによって達成される。
【００１７】
支持壁範囲及び底壁範囲を有する中空プロファイル条片の形成は有利であり、その際、側壁範囲は、底部範囲にまで延びている。切り欠きは、中空プロファイル条片に設けられている。これらは、底壁範囲を通って延びている。これらは、側壁範囲において少なくとも支持壁範囲の近くにまで継続している。それにより中空プロファイル条片は、曲率半径制限器を備えている。
【００１８】
ラインガイド装置のなお別の有利な構成によれば、条片が、カバー壁範囲と底壁範囲との間に形成された支持壁範囲を有するように形成されていることが提案される。条片のこの構成は、比較的大きな力を吸収する。なるべく中空プロファイル条片は、大体において長方形の横断面を有する。別の横断面も、ラインガイド装置の形成のために適していることがある。とくに中空プロファイルの横断面の構成を介して、中空プロファイルの剛性が影響を受けることがある。
【００１９】
橋絡片は、なるべくカバー壁範囲と支持壁範囲との間の範囲に配置されている。橋絡片が、支持壁範囲の下に配置されているラインガイド装置の構成は、とくに有利である。橋絡片のこの配置によって、橋絡片にあるラインが大体においてラインガイド装置の中立の相に延びていることが達成される。中立の相は、支持壁範囲内に延びている。ラインが大体において中立の相に延びていることによって、これらは、きわめて小さな機械的な負荷にしかさらされない。
【００２０】
取付けを容易にするために、ラインガイド装置の別の有利な構成によれば、少なくとも１つの橋絡片が、一方の端部範囲によって、カバー及び／又は支持壁範囲又は底壁範囲に接していることが提案される。
【００２１】
橋絡片は、なるべく条片に取外し可能に結合されている。条片と橋絡片の結合は、例えばねじによって行なうことができる。条片と橋絡片の形状結合又は力結合による結合も可能である。なるべく側壁は、通過開口を有する。通過開口は、セグメントの側壁範囲に橋絡片を結合する取付け要素を通すために使われる。選ばれた又はすべてのセグメントに、通過開口が形成されていることができる。通過開口は、穴あけによって製造することができる。
【００２２】
本発明のなお別の有利な構成によれば、選ばれた又はすべてのセグメントの側壁範囲に、１つの橋絡片を固定するアダプタが設けられていることが提案される。アダプタは、セグメントの側壁範囲に取外し可能に又は取外し不可能に結合することができる。種々のアダプタを利用することによって、条片の同様な構成の際にも、種々の橋絡片を利用することができる。
【００２３】
ラインガイド装置のガイド通路内に物体、汚れ粒子等が侵入しないことを保証するために、ラインガイド装置が、ラインガイド装置の長手方向に延びたたわみやすい少なくとも１つのカバーを有することが提案される。カバーは、ラインガイド装置への介入を少なくとも部分的に防止するので、ラインガイド装置の安全性も高める。カバーの固定のために、ラインガイド装置の有利な構成によれば、条片が、ラインガイド装置の長手方向に延びたそれぞれ少なくとも１つのスリットを有し、このスリットが、カバーの縁範囲内に突出することが提案される。カバーは、合成物質からなることができる。これは、金属材料からなることもできる。
【００２４】
本発明によるラインガイド装置のそれ以上の詳細及び利点は、図面に示された実施例によって説明する。
【００２５】
図１は、少なくとも１つのラインを案内するために適したラインガイド装置１の第１の実施例を斜視図で示している。図１においてわかりやすくするために、少なくとも１つのラインは図示されていない。
【００２６】
ラインガイド装置１は、大体において互いに平行に延びた２つの条片２、３を有する。それぞれの条片２、３は、１つの部分から形成されている。条片２及び３において、合成物質からなるそれぞれ１つの条片が問題になっている。条片２、３は、合成物質から押出されている。
【００２７】
それぞれの条片２、３は、横向き分離部５によってセグメント４に細分化されている。横向き分離部５は、大体において条片の長手方向に対して横向きに延びている。これらは、互いに選ばれた間隔を置いて形成されている。横向き分離部５は、側壁範囲６において支持壁範囲７の近くにまで延びている。横向き分離部５が円形の切り欠き１１に移行していることは、図１による表示から明らかである。円形の切り欠き１１によって曲げ軸線の範囲における負荷が減少される。
【００２８】
条片２及び条片３は、橋絡片８、９によって互いに結合されている。橋絡片８、９は、互いに選ばれた間隔を置いて当該のセグメント４に取付けられている。それぞれの橋絡片８、９の取付けのために、アダプタ１２が設けられている。アダプタ１２は、取付け要素１３によって、セグメント４のそれぞれの側壁範囲６に結合されている。それぞれのアダプタ１２は、それぞれの端部範囲に切り欠きを有する。切り欠き内に橋絡片８、９を持込むことができる。その長手軸線の回りにおける橋絡片８、９の旋回によって、アダプタ１２内における橋絡片８、９の固定が行なわれる。
【００２９】
セグメント４及び橋絡片８、９は、大体において横断面において長方形のガイド通路を区画している。ガイド通路１０内にラインを挿入することができる。複数のラインを個々のラインに又はライングループに細分化するために、橋絡片８、９の間に分離橋絡片１４が設けられている。分離橋絡片１４は、橋絡片８、９の長手方向において任意に選択可能な位置に配置することができる。分離橋絡片１４は、大体において橋絡片８、９に対して横向きに延びている。目的に合っているかぎり、別の分離橋絡片を設けてもよく、これらの分離橋絡片は、大体において橋絡片８、９に対して平行に延びており、かつ図１に示した分離橋絡片１４に結合されている。橋絡片８、９及び分離橋絡片１４、及び場合によっては別の分離橋絡片は、分離橋絡片システムを形成し、この分離橋絡片システムは、条片２、３の構成に無関係に形成することができる。ラインガイド装置の本発明による構成によれば、ガイド通路１０の種々の細分化が実現できる。条片２、３を種々の分離橋絡片システムに整合するということは、どうしても必要というわけではない。
【００３０】
図２は、ラインガイド装置の第２の実施例を示している。ラインガイド装置１は、図１に示されたラインガイド装置の変形である。
【００３１】
ラインガイド装置１は、大体において互いに平行に延びた２つの条片２、３を有する。条片２、３は、プロファイル条片として形成されている。プロファイル条片２、３は、大体において側壁範囲６から横向きに突出した支持壁範囲７を有する。条片２、３をセグメント４を有する条片に細分化する横向き分離部５は、それぞれの条片２、３の側壁範囲６を通って支持壁範囲７にまで延びている。図２によるラインガイド装置においても、横向き分離部５は、支持壁範囲７の近くにおいて大体において円形の切り欠き１１に移行している。
【００３２】
図２によるラインガイド装置１の条片２、３は、カバー壁範囲１５も有する。カバー壁範囲１５は、大体において側壁範囲６に対して横向きに延びている。支持壁範囲７及びカバー壁範囲１５は、大体において互いに平行に延びている。図２による図示した実施例において、条片２、３は、Ｃ型プロファイルとして形成されている。その他のプロファイル構成、とくにＴ型、二重Ｔ型又はＺ型の形成も可能である。これらのプロファイル構成の変形は、同様に可能である。
【００３３】
カバー壁範囲１５も、横向き分離部５によって切離されている。図２による図示した実施例において、支持壁範囲７及びカバー壁範囲１５は、外側に向けられている。支持壁範囲７及びカバー壁範囲１５は、取付け要素１３の所定のカバーを形成している。取付け要素１３は、それぞれの条片２、３にアダプタ１２を固定するために使われる。アダプタ１２に橋絡片８、９が結合されている。橋絡片８、９の間に分離橋絡片１４が配置されている。
【００３４】
図３は、ラインガイド装置１の別の実施例を示している。図３によるラインガイド装置１の基本的な構成は、図２によるラインガイド装置１の構成に相応している。図３によるラインガイド装置の条片２、３は、図２によるラインガイド装置１の条片２、３と同じに構成されている。それ故に図２についての説明を参照されたい。
【００３５】
条片２、３の間に橋絡片１６が配置されている。橋絡片１６は、穴あき橋絡片として形成されている。これらは、穴１７を有し、これらの穴内にラインが通される。橋絡片１６は、２部分から形成されている。橋絡片１６は、互いに選ばれた間隔を置いて当該のセグメントに調節取付けされている。それぞれの橋絡片１６の取付けのために、アダプタ１２が設けられている。アダプタ１２は、取付け要素１３によって当該のセグメント４に結合されている。アダプタ１２は、図示した実施例においてＵ型に形成されている。
【００３６】
ラインガイド装置のループ形成の範囲における曲率半径を制限するために、それぞれの条片２、３に制限要素１８を配置することができる。制限要素１８は、基礎部材１９を有する。基礎部材１９は、横断面において台形に形成されている。これは、対向して形成されたストッパ面２４を有する。基礎部材１９から片２１が延びている。片２１は頭部２２を有する。片２１に対して間隔を置いて別の片２０が設けられている。片２０は、脚２３を有し、この脚は、頭部２２に対向している。基礎部材１９の面からの脚２３の間隔は、大体において支持壁範囲７の厚さに相応している。支持壁範囲７の厚さとは、ラインガイド装置の長手方向に対して横向きの支持壁範囲７の寸法のことである。
【００３７】
制限要素１８は、頭部２２を切り欠き１１内に噛み合わせることによって、条片に固定される。脚２３は、支持壁範囲７上に載る。側壁範囲６は、片２０、２１の間にある。ストッパ面２４の相応する傾斜によって、隣接するセグメント４の種々の揺動角が調節できる。
【００３８】
図４は、ラインガイド装置１の別の構成を示している。ラインガイド装置１は、大体において互いに平行に延びた２つの条片２、３を有する。それぞれの条片２、３は、多数のセグメント４を有する。セグメント４は、横向き分離部５によって互いに切離されている。
【００３９】
それぞれの条片２、３は、プロファイル条片の形に形成されている。それぞれの条片２、３は、カバー壁範囲１５、支持壁範囲７及び底壁範囲２５を有する。横向き分離部５は、カバー壁範囲１５を通って延びており、かつ側壁範囲において少なくとも支持壁範囲７の近くにまで継続している。横向き分離部５は、すでに前に説明したように、円形の横断面１１を有する切り欠き１１に広がっている。それぞれの条片２、３は、切り欠き２６を有し、これらの切り欠きは、底壁範囲２５を通って延びている。切り欠き２６は、側壁範囲６において支持壁範囲７の近くにまで継続している。図示した実施例において、切り欠き２６は、底壁範囲２５から支持壁範囲７に向かって先細になっている。切り欠き２６が支持壁７に向かって先細になった角度は、隣接するセグメント４の揺動角を決めている。隣接するセグメント４の揺動角によって、ラインガイド装置の曲率半径も確定される。したがってそれぞれの条片２、３は、統合された曲率半径制限器を有するように形成されている。
【００４０】
図４は、カバー壁範囲１５、支持壁範囲７及び底壁範囲２５が、互いに向き合うことを示している。カバー壁範囲１５と支持壁範囲７との間に、橋絡片１６が配置されている。図示した実施例において、穴あき橋絡片が問題になっており、これらの穴あき橋絡片は、ラインを収容するために穴１７を備えている。橋絡片１６は、結合要素１３によってそれぞれのセグメント４の側壁範囲６に直接固定されている。橋絡片１６の高さは、なるべく条片２、３のカバー壁範囲１５と支持壁範囲７との間の間隔よりもいくらか大きいので、橋絡片１６は、プレスはめによって、カバー壁範囲１５と支持壁範囲７との間に持込むことができ、それにより橋絡片１６は、条片２又は条片３の支持壁範囲７及びカバー壁範囲１５によって保持されるので、橋絡片１６の取付けが容易になる。続いて橋絡片１６は、取付け手段１３によって固定することができる。
【００４１】
図５は、ラインガイド装置１の別の実施例を示している。ラインガイド装置１は、ガイド通路１０内に少なくとも１つのラインを案内するために使われる。ラインガイド装置は、大体において互いに平行に延びた２つの条片２、３を含む。それぞれの条片２、３は、１つの部分から形成されている。それぞれの条片２、３は、横向き分離部５によってセグメント４を有する条片２、３に細分化されている。図示した実施例において、条片２及び条片３は、少なくとも部分的に中空プロファイル条片として形成されている。中空プロファイル条片は、支持壁範囲７及び底壁範囲２５を有する。側壁範囲６は、底壁範囲２５まで延びている。中空プロファイル条片として形成された条片２、３の区間は、図示した実施例において大体において長方形に形成されている。長方形の中空プロファイルから側壁範囲６が突出している。側壁範囲６は、カバー壁範囲１５を有する。図５から明らかなように、側壁範囲６は、中空プロファイルにおいて大体において中央に形成されている。
【００４２】
それぞれの条片２、３は、橋絡片１６によって互いに結合されている。橋絡片１６は、互いにあらかじめ選ばれた区間に配置されている。図示した実施例において、橋絡片１６は、穴１７を有する穴あき橋絡片として形成されている。別の橋絡片配置は、同様に可能である。橋絡片１６は、アダプタ１２によって条片２、３に結合されている。橋絡片１６は、条片２又は３の支持壁範囲７上に載っている。それぞれの条片２、３が少なくとも部分的に中空プロファイルとして形成されていることによって、ラインガイド装置に、高められた剛性、とくにねじり剛性が与えられる。
【００４３】
ラインガイド装置１は、統合された曲率半径制限器を有するように形成されている。曲率半径制限器は、条片２、３の中空プロファイル条片の区間によって形成される。図５から明らかなように、底壁範囲２５を通って支持壁範囲７の近くにまで、切り欠き２６が延びており、これらの切り欠きは、支持壁範囲７に向かって先細になっている。切り欠き２６の対向する面は、隣接するセグメントの揺動角を制限するためのストッパ面２４を形成している。切り欠き２６は、大体において横向き分離部５と一直線上にある。
【００４４】
ガイド通路１０をカバーするために、少なくとも１つのカバーを設けることができる。カバーは、なるべくたわみやすい帯からなり、この帯は、ラインガイド装置の長手方向に延びている。ラインガイド装置にカバーを固定するために、条片２はスリット２７を備え、これらのスリットは、ラインガイド装置の長手方向に延びている。スリット２７は、図６が示すように、橋絡片１６の上又は下に形成されている。なるべく条片２は、間隔を置いた２つのスリットを備えているので、２つのカバーを設けることができ、これらのカバーの間に橋絡片１６が配置されている。相応する様式で条片３も形成されている。
【００４５】
図７は、ラインガイド装置の別の実施例を示している。ラインガイド装置は、条片２、３によって形成されている。条片２、３は、部分的に中空プロファイル条片として形成されている。条片２、３の基本的な構成は、図５による条片２、３の構成に相応しており、その際、図７による構成において、それぞれの条片２、３は、カバー壁範囲を持たないので、セグメント４は、中空プロファイル上にフィン状に形成されている。
【００４６】
条片２、３は、橋絡片２８によって互いに結合されている。橋絡片２８は、なるべく条片２、３に取外し可能に結合されている。とくに条片２、３と橋絡片２８の結合は、接着又は溶接によって行なうことができ、その際、溶接のための橋絡片２８は、合成物質からなるので、合成物質溶接が行なわれる。
【００４７】
橋絡片２８は、横向き分離部５の範囲に配置されている。橋絡片２８は、穴２９を有し、これらの穴内に、分離橋絡片３０の一方の端部区間が突出する。条片２、３に、ヨーク状に形成された橋絡片３１が結合されている。橋絡片３１は、区間３２を有し、この区間は、橋絡片２８の上に配置されている。区間３２は、穴２９に対応する穴３３を有するので、分離橋絡片３０は、橋絡片２８、３１の間に配置されており、かつこれらによって固定されている。
【００４８】
区間３２につかみ部３４が続いている。それぞれのつかみ部３４は、外側片３５及び内側片３６によって形成されている。外側片３５及び内側片３６は、大体において互いに平行に延びている。内側片３６に対する外側片３５の間隔は、これらの間に側壁範囲６の区間が持込み可能なように決められている。
【００４９】
条片２に又は条片３に橋絡片３１を固定するために、それぞれのつかみ部３４の外側片３５及び／又は内側片３６は、切り欠き１１内に突出する図示しない突起を有する。橋絡片３１と条片２及び条片３との間の少なくとも形状結合したこの結合によって、ラインガイド装置の動作の間に、橋絡片３１が確実にラインガイド装置に結合されていることが保証される。ラインガイド装置の長手方向における橋絡片３１の延びは、ラインガイド装置の最大揺動状態において隣接するセグメント４の間に生じるギャップより大きい。
【００５０】
図８及び９は、ラインガイド装置の別の構成を示している。ラインガイド装置は、条片によって形成されており、その際、図８及び９に条片２だけが示されている。相応する様式で、ラインガイド装置の別の条片を形成することができる。条片２は、図示した実施例において、３つの部分条片３７、３８、３９によって形成されている。それぞれの部分条片３７、３８、３９は、横向き分離部５によってセグメント４を有する部分条片に細分化されている。部分条片３７、３８、３９における横向き分離部５は、互いにずらして配置されている。図示した実施例において、部分条片３７、３９の横向き分離部５は、互いに一直線上にある。それにより条片２の一層大きな剛性が達成される。条片２は、２つの部分条片によって形成してもよい。３つより多くの部分条片も同様に可能である。横向き分離部の相互のずれによって、ラインガイド装置の損傷の危険も避けられる。
【図面の簡単な説明】
【図１】  ラインガイド装置の第１の実施例を示す概略的な斜視図である。
【図２】  ラインガイド装置の第２の実施例を示す斜視図である。
【図３】  ラインガイド装置の第３の実施例を示す斜視図である。
【図４】  統合された曲率半径制限器を有するラインガイド装置の別の実施例を示す図である。
【図５】  部分的に中空プロファイルとして形成された条片を有するラインガイド装置の別の実施例を示す図である。
【図６】  図５によるライン装置の詳細を拡大した尺度で示す図である。
【図７】  ラインガイド装置の別の実施例を示す斜視図である。
【図８】  ラインガイド装置の別の実施例を概略的に示す斜視図である。
【図９】  図８によるラインガイド装置の部分図を示す平面図である。
【図１】
0004123328.tif 000002
【図２】
0004123328.tif 000003
【図３】
0004123328.tif 000004
【図４】
0004123328.tif 000005
【図５】
0004123328.tif 000006
【図６】
0004123328.tif 000007
【図７】
0004123328.tif 000008
【図８】
0004123328.tif 000009
【図９】
0004123328.tif 000010